(57)【要約】【課題】捨石均し作業に従事する潜水士の視界を確保する。【解決手段】均し定規として広く用いられている角形鋼管を加工して製作された水中基礎捨石均し補助装置１０は、作業船１２に搭載されたジェットポンプ１８から供給された海水を側面に設けられた噴出孔３４から噴き出し、捨石均しの作業水域に浮遊する汚濁物質を拡散させ、作業水域の濁度を低下させるとともに、ＬＥＤライト２２によって捨石２４の運搬や置換を行う潜水士２６の手元やその周囲の作業水域を明るく照らし出す。【選択図】図１
2013170405.tif 000002
【特許請求の範囲】
【請求項１】
一方向に延伸され、両端部が水密に封鎖された管と、
前記管の内部に外部から給水するための給水孔と、
前記管の長さ方向に所定の間隔をおいて設けられ、前記給水孔から前記管の内部に供給された水を外部に噴出させるための噴水孔と、
前記管の長さ方向に所定の間隔をおいて設けられ、前記噴水孔から水が噴出する方向を照らす照明装置、
を備えた水中基礎捨石均し補助装置
【請求項２】
前記管が４つの面からなる矩形断面の形状であり、任意の面に前記照明装置が設けられ、前記任意の面に隣接する他の面に前記噴水孔が設けられている、
請求項１に記載の水中基礎捨石均し補助装置。
【請求項３】
前記任意の面と対向する面に当該面より大きな面積を備えた底板が設けられている、
請求項２に記載の水中基礎捨石均し補助装置。
【請求項４】
前記管には角型鋼管を用い、前記底板には鋼板を用いた、
請求項２または３に記載の水中基礎捨石均し補助装置。
【請求項５】
請求項１乃至４の何れかに記載の水中基礎捨石均し補助装置と、
作業船と、
前記作業船に搭載された給水ポンプと、
前記給水ポンプと前記管に設けられた給水孔を接続するホース、
を備えた水中基礎捨石均し補助システム。
【発明の詳細な説明】
【技術分野】
【０００１】
本発明は、潜水士による捨石均しの作業効率の向上に資する補助装置に関する。
【背景技術】
【０００２】
防波堤や護岸など重力式の港湾構造物の設置に際しては捨石マウンドの構築が欠くことのできない作業となっている。捨石マウンドには基礎地盤の不陸を補正したり、構造物の荷重を分散したり、波や潮流による構造物底面付近の地盤の洗掘を防止する等の働きがあり、これらの働きにより構造物の安定した設置を実現している。捨石マウンドは構築初期には捨石が雑然と積み上げられた不陸の状態であるため、これを略の均一の高さ（＋５ｃｍ〜−５ｃｍ）になるまで捨石の位置を変えたり組み直したりしながら天端を仕上げる捨石均しと呼ばれる作業が必要になる。
【０００３】
従来、捨石均しは潜水士による手作業が中心であったが、港湾構造物の大規模化、大水深化などの流れを受け、近年では専用の捨石均し装置が開発されるなど一層の機械化が進展している（特許文献１、２参照）。これらの捨石均し装置によれば、人力を機械に置き換えることによる安全性の向上はもとより、施工能力の向上による工期の短縮やコストの低減を図ることができるというメリットがある。また機械の場合、視界の確保の必要がないため、潜水士が視認できないような暗い水域や濁った水域での作業にも対応が可能である。
【先行技術文献】
【特許文献】
【０００４】
【特許文献１】特開平９−８８０６５号公報
【特許文献２】特開２０００−１２００６８号公報
【発明の概要】
【発明が解決しようとする課題】
【０００５】
しかし、捨石均し装置は高価であり、また操作のためのオペレータが別途必要になり、さらには装置の運搬や移動を担う起重機船の配備も必要になるなど、人件費と損料が大幅に増えるという問題もある。そのため、中小の施工者が施工することが多い小規模な現場などにおいては、捨石均し装置の施工能力が格段に向上した今日においても潜水士による捨石均しの需要は依然として高い。しかし、先に述べたとおり現場の状況によっては視界の確保が困難であるため、捨石均し作業の効率が上がらないという問題は残ったままである。
【０００６】
本発明は、潜水士の視界を確保することにより捨石均しの作業効率の向上に資する水中基礎捨石均し補助装置を提供することを目的とする。
【課題を解決するための手段】
【０００７】
本発明の水中基礎捨石均し補助装置は、一方向に延伸され、両端部が水密に封鎖された管と、前記管の内部に外部から給水するための給水孔と、前記管の長さ方向に所定の間隔をおいて設けられ、前記給水孔から前記管の内部に供給された水を外部に噴出させるための噴水孔と、前記管の長さ方向に所定の間隔をおいて設けられ、前記噴水孔から水が噴出する方向を照らす照明装置、を備えた構成である。
【０００８】
本発明の水中基礎捨石均し補助装置は、濁度が高く透明度が低い水域において基礎捨石均しを行う場合に、潜水士の視界を確保し、作業効率を向上させるために用いられる装置である。管は捨石均し作業を行う水深まで沈められ、噴出孔から真水もしくは比較的濁度の低い海水等を噴き出し、均し作業を行う水域の透明度を向上させる。同時に潜水士の手元や周囲の捨石を照明装置により明るく照らし出す。管は捨石マウンドの天端面に水平に置くことで均し定規とし使用することができる。
【０００９】
本発明の水中基礎捨石均し補助装置は、管が４つの面からなる矩形断面の形状であり、任意の面に前記照明装置が設けられ、前記任意の面に隣接する他の面に前記噴水孔が設けられている構成とすることができる。
【００１０】
矩形断面の管は設置したときに位置と傾きが安定するため、照明方向と噴水方向を一定の方向に維持しやすくなる。
【００１１】
本発明の水中基礎捨石均し補助装置は、前記任意の面と対向する面に当該面より大きな面積を備えた底板が設けられている構成とすることができる。
【００１２】
底板には設置された管の安定度を高めるとともに、管を水中に沈めるときにバランサーの役割を果たし、照明装置が設けられた面を上向きに維持する機能がある。
【００１３】
本発明の水中基礎捨石均し補助装置は、前記管には角型鋼管を用い、前記底板には鋼板を用いた構成とすることができる。
【００１４】
水中基礎捨石均し補助装置の構成の大部分を占める管および底板に土木建築分野において般用されている角型鋼管および鋼板を加工して用いることにより、装置製作にかかるコストを大幅に抑えることができる。
【００１５】
本発明の水中基礎捨石均し補助装置は、作業船と、前記作業船に搭載された給水ポンプと、前記給水ポンプと前記管に設けられた給水孔を接続するホースと組み合わせることにより、水中基礎捨石均し補助システムを構成することができる。
【発明の効果】
【００１６】
本発明の水中基礎捨石均し補助装置によれば、噴出孔から噴き出す真水もしくは比較的濁度の低い海水等によって均し作業を行う水域の透明度を向上させることができ、同時に照明装置によって潜水士の手元や周囲の捨石を明るく照らし出すことができるため、作業条件が悪い水域でも視界を確保することができるようになり、作業効率の向上を図ることができる。
【図面の簡単な説明】
【００１７】
【図１】水中基礎捨石均し補助システムの概念図
【図２】水中基礎捨石均し補助装置の正面図
【図３】図２の１−１線断面図
【発明を実施するための形態】
【００１８】
本発明の実施の形態について添付した図面を参照しながら説明する。図１は水中基礎捨石均し補助システムの概念図である。本システムは、水中基礎捨石均し補助装置１０（以下、装置１０という。）と作業船１２によって構成されている。装置１０は均し定規として広く用いられている角形鋼管を加工したものであり、均し定規と同様に捨石マウンド１４の天端に水平に設置して用いられる。ワイヤロープ１６によって作業船１２と連結されており、作業船１２側から装置１０の位置や向きを変更できるようになっている。作業船１２にはジェットポンプ１８が搭載されており、取水口２０から採取した海水をポンプホース２２を通じて装置１０に圧送して供給する。装置１０に供給された海水は装置１０から水平方向に噴き出して、捨石均しの作業水域に浮遊する汚濁物質を拡散させ、作業水域の濁度を低下させる目的に用いられる。装置１０にはＬＥＤライト２４が取り付けられており、捨石２６の運搬や置換を行う潜水士２８の手元やその周囲の作業水域を明るく照らし出す。
【００１９】
装置１０は、図２および図３に示すように、矩形断面を有する角形の鋼管３０を主体とする一方向に長く延伸された長尺物である。鋼管３０の両端部は水密に封鎖されている。一方の端部には給水孔３２が設けられており、給水孔３２にはポンプホース１８の一端が接続されている。
【００２０】
鋼管３０の一方の側面には複数の噴出孔３４が鋼管３０の長さ方向に均等な間隔で形成されている。噴出孔３４は鋼管３０の側面を貫通し、鋼管３０の内側と外側とを連通させる孔であり、給水孔３２から鋼管３０の内側に圧送される海水を鋼管３０の側方に勢いよく噴出させる役割を有している。
【００２１】
鋼管３０の上面には複数のＬＥＤライト２２が取り付けられている。これらのＬＥＤライト２２は鋼管３０の長さ方向に均等な間隔で全て鋼管３０の側方に向けて配置されている。ＬＥＤライト２２は、噴出孔３４から海水が噴出する方向と同方向を照射し、捨石均し作業を行う潜水士の手元やその周囲を明るく照らし出す役割を有している。ＬＥＤライト２２は、充電式電池等、電源を内蔵したタイプのものや作業船１２に搭載された電源から電気の供給を受けるタイプのものなどを使用することができる。
【００２２】
鋼管３０の底面には鋼板３６が取り付けられている。鋼板３６は鋼管３０と略同じ長さであるが幅は大きく、底面の前後に張り出しており、底面より大きな面積を有している。鋼板３６には捨石の上に設置した装置１０が作業中に転倒したり向きを変えたりしないように安定度を高めるとともに、装置１０を海中に沈めるときにバランサーとして機能し、ＬＥＤライト２２が取り付けられた面を上向きにして着底させる役割を有する。
【符号の説明】
【００２３】
１０水中基礎捨石均し補助装置
１２作業船
１４捨石マウンド
１６ワイヤロープ
１８ジェットポンプ
２０ポンプホース
２２取水口
２４ＬＥＤライト
２６捨石
２８潜水士
３０鋼管
３２給水孔
３４噴出孔
３６鋼板
【図１】
2013170405.tif 000003
【図２】
2013170405.tif 000004
【図３】
2013170405.tif 000005